(57)【要約】【課題】保守点検作業の効率を低下させることなく鳥害を防止することができる腕金を提供する。【解決手段】本発明の腕金１は、水平方向に延びる本体部１０を備えている。本体部１０の上面壁１２には、複数の孔部１３が設けられている。腕金１は、複数の孔部１３に挿通され、上面壁１２から進退可能に突出する鳥類の飛来を防止するための複数の針棒体１５をさらに備えている。【選択図】図１
2011142780.tif 000002
【特許請求の範囲】
【請求項１】
電柱に取り付けられ、電線を架設するための腕金であって、
複数の孔部が設けられた上面部材と、
前記複数の孔部に挿通され、前記上面部材から上方に向けて進退可能に突出する鳥類の飛来を防止するための複数の針棒体を備えていることを特徴とする腕金。
【請求項２】
前記複数の針棒体が設けられるとともに、前記上面部材よりも下方側に配置され、前記複数の針棒体を前記上面部材から突出させる突出位置と、前記複数の針棒体を前記上面部材よりも下方に格納させる格納位置との間を移動可能な針棒体支持部材をさらに備えている請求項１に記載の腕金。
【請求項３】
前記針棒体支持部材を上面部材に向けて付勢する付勢部材をさらに備えている請求項２に記載の腕金。
【請求項４】
前記針棒体支持部材を前記格納位置に解除可能に保持する保持手段をさらに備えている請求項３に記載の腕金。
【請求項５】
前記上面部材の両側面から下方に延びる側面部材と、両側面部材の下端を繋ぐ底面部材と、をさらに備えることで、前記上面部材、前記側面部材、及び前記底面部材は、断面方形の筒状の本体部を構成しており、
さらに、前記本体部の内側面に沿って立設された補強リブと、前記本体部を上下方向に貫通するとともに前記上面部材に固定される碍子を固定するボルトと、を備え、
前記補強リブと前記ボルトの内の少なくとも一方が、前記針棒体支持部材の前記突出位置と前記格納位置との間の上下方向の移動を案内するガイドを構成している請求項２〜４のいずれか一項に記載の腕金。
【発明の詳細な説明】
【技術分野】
【０００１】
本発明は、電柱上部に設けられて送電線等を架設するための腕金であって、鳥害防止機能を備えた腕金に関する。
【背景技術】
【０００２】
従来から、電柱の上部に設けられ送電線が架設される腕金には、鳥類が止まったり営巣したりすることで生じる相間短絡や地絡等の電気事故を防止するために、その上面に先端の尖った棒体を多数有する鳥害防止具を取り付けて、鳥類が当該腕金の上面に止まるのを阻止するものや（例えば、特許文献１参照）、電線や碍子を絶縁カバーで覆うことで、短絡等が生じるのを防止するもの（例えば、特許文献２参照）が提案されている。
【先行技術文献】
【特許文献】
【０００３】
【特許文献１】特開平１１−２８９６４４号公報
【特許文献２】特開２０００−９２６７２号公報
【発明の概要】
【発明が解決しようとする課題】
【０００４】
しかし、上記特許文献に記載の鳥害防止具や絶縁カバーを腕金や電線等に取り付けると、これらを外部から視認するのが困難となるため、保守点検時における目視点検に支障をきたす場合があった。
さらに、上記鳥害防止具を腕金に取り付けた場合、保守点検時においては、当該鳥害防止具の尖った棒体に作業者が近づかざるを得ず、点検作業の邪魔となったり、危険を伴うこともあった。
以上のことから、上記従来の方法では、保守点検作業に取りかかる前に、鳥害防止具や絶縁カバー等を取り外すといった作業が必要となるため、鳥害を防止できたとしても、保守点検等についての作業効率を低下させてしまう場合があった。
【０００５】
本発明はこのような事情に鑑みてなされたものであり、保守点検作業の効率を低下させることなく鳥害を防止することができる腕金の提供を目的とする。
【課題を解決するための手段】
【０００６】
上記目的を達成するための本発明は、電柱に取り付けられ、電線を架設するための腕金であって、複数の孔部が設けられた上面部材と、前記複数の孔部に挿通され、前記上面部材から上方に向けて進退可能に突出する鳥類の飛来を防止するための複数の針棒体を備えていることを特徴としている。
【０００７】
上記のように構成された腕金によれば、鳥類の飛来を防止するための複数の針棒体が、上面部材から上方に向けて進退可能に突出するので、針棒体が突出した状態では、上面部材に鳥類が飛来して止まるのを防止することができる。一方、保守点検時には、針棒体を上面部材よりも下方に退避させ格納することができる。この結果、上記従来例のように鳥害防止具等を取り外す作業を行う必要がなくなるので、保守点検作業の効率が低下するのを防止できる。
【０００８】
具体的には、前記複数の針棒体が設けられるとともに、前記上面部材よりも下方側に配置され、前記複数の針棒体を前記上面部材から突出させる突出位置と、前記複数の針棒体を前記上面部材よりも下方に格納させる格納位置との間を移動可能な針棒体支持部材をさらに備えていることが好ましい。
この場合、針棒体支持部材を移動させることで、容易に複数の針棒体を一括して進退させることができる。
【０００９】
また、前記腕金は、前記針棒体支持部材を上面部に向けて付勢する付勢部材を備えていてもよい。
この場合、針棒体支持部材が上面部材に向けて付勢されることで突出位置に保持されるので、複数の針棒体が上面部材から突出した状態を維持することができる。また、保守点検を行う等、必要なときには、針棒体支持部材を付勢部材の付勢力に抗して下方に下げることで格納位置に移動させ、複数の針棒体を退避させることができる。
【００１０】
さらに、前記針棒体支持部材を前記格納位置に解除可能に保持する保持手段を備えていてもよく、この場合、針棒体支持部材を押し下げることで格納位置に移動させた上で、格納位置に保持することができる。また、保守点検等を終えることで針棒体を格納する必要性がなくなった場合には、その保持を解除することで、付勢部材の付勢力によって容易に針棒体を上面部から突出させることができる。
【００１１】
また、上記腕金において、前記上面部材の両側面から下方に延びる側面部材と、両側面部材の下端を繋ぐ底面部材と、をさらに備えることで、前記上面部材、前記側面部材、及び前記底面部材は、断面方形の筒状の本体部を構成しており、さらに、前記本体部の内側面に沿って立設された補強リブと、前記本体部を上下方向に貫通するとともに前記上面部材に固定される碍子を固定するボルトと、を備え、前記補強リブと前記ボルトの内の少なくとも一方が、前記針棒体支持部材の前記突出位置と前記格納位置との間の上下方向の移動を案内するガイドを構成していてもよい。
この場合、補強リブ又はボルトに針棒体支持部材のガイドとして機能させることで、専用のガイドを設ける必要がないことに加え、構造を簡易とすることができる。
【発明の効果】
【００１２】
本発明の腕金によれば、保守点検作業の効率を低下させることなく鳥害を防止することができる。
【図面の簡単な説明】
【００１３】
【図１】本発明の一実施形態に係る腕金を示す断面図である。
【図２】腕金の平面図である。
【図３】図１中ＩＩＩ−ＩＩＩ線矢視断面図である。
【図４】支持部材を下方向に移動させたときの腕金の断面図である。
【図５】（ａ）は、図４中の取手部周辺を拡大して示した断面図であり、（ｂ）は、底面壁を下側から正面視したときの図である。
【図６】本発明の腕金の他の態様を示す要部断面図である。
【図７】本発明の腕金のさらに異なる他の態様を示す外観図である。
【発明を実施するための形態】
【００１４】
次に、本発明の好ましい実施形態について添付図面を参照しながら説明する。図１は、本発明の一実施形態に係る腕金を示す断面図、図２は、腕金の平面図、図３は、図１中ＩＩＩ−ＩＩＩ線矢視断面図である。
図において、腕金１は、コンクリート製の電柱Ｐの上部に固定されており、水平方向に延びる本体部１０と、本体部１０の上面に設けられ電線Ｃが架設されている複数の碍子２とを備えている。
【００１５】
本体部１０は、鉄等の金属製の角形管を用いることで断面方形の筒状の部材とされており、当該本体部１０を長手側面側から水平方向に貫通する取付ボルト３によって電柱Ｐにほぼ水平に固定されている。本体部１０は、上面部材としての上面壁１２と、上面部材の両長手側面から下方に延びる側面部材としての側面壁１１と、両側面部壁１１の下端を繋ぐ底面部材としての底面壁１７とにより構成されている。
上面壁１２の上面には、上述の複数の碍子２が、所定の間隔をおいて長手方向に沿って並べて配置され、上下方向に本体部１０を貫通するボルト４によって固定されている。
【００１６】
上面壁１２には、本体部１０の内外を連通する孔部１３が複数形成されている。これら孔部１３は、互いに隣接する碍子２同士の間に複数形成されている。
孔部１３の周縁には、本体部１０の内側に向かって延びる円筒状のガイド部１３ａが設けられている。
また、本体部１０には、その内側面に沿って立設された補強リブ１４が長手方向に所定の間隔を置いて複数設けられている。
【００１７】
本体部１０の内部には、孔部１３から上方に向けて突出することで腕金１に鳥類が飛来して止まるのを防止するための複数の針棒体１５が立設された針棒体支持部材１６が収納されている。
針棒体支持部材１６は、鉄等の金属板により形成された板状の部材であり、本体部１０の内部にほぼ水平となるように収納されている。また、針棒体支持部材１６は、長手方向寸法が本体部１０の長手方向寸法とほぼ同一とされ、短手方向の寸法が本体部１０の内側側面に対して僅かに隙間が形成されるように設定されている。
【００１８】
針棒体支持部材１６は、その長手方向両側端部であって補強リブ１４に対応する位置に、切欠部１６ａが形成されており、さらに、本体部１０を貫通するボルト４に対応する位置に、当該ボルト４が挿通される孔部１６ｂが形成されている。
切欠部１６ａ及び孔部１６ｂは、それぞれ補強リブ１４及びボルト４に対して僅かに隙間を置いて形成されている。このため、針棒体支持部材１６は、補強リブ１４及びボルト４に沿って、上下方向に移動可能である。つまり、補強リブ１４及びボルト４は、針棒体支持部材１６の上下方向の移動を案内するガイドとしての機能を有している。
【００１９】
上記のように、補強リブに針棒体針棒体支持部材１６のガイドとして機能させることで、専用のガイドを設ける必要がないことに加え、構造を簡易とすることができる。
なお、本体部１０には、当該本体部１０を電柱Ｐに固定するためのボルト３が長手側面側から水平方向に貫通しており、これを回避しかつ上下方向に移動可能とするため、針棒体支持部材１６には、下方向に凹んでボルト３を回避する凹部１６ｃが形成されている。
【００２０】
針棒体支持部材１６と本体部１０の底面壁１７との間には、当該針棒体支持部材１６を上面壁１２に向けて上方向に付勢する付勢部材としてのスプリング１８が３カ所設けられており、針棒体支持部材１６は、各孔部１３の周縁に設けられたガイド部１３ａの下端に当接した状態で保持されている。
【００２１】
針棒体支持部材１６の上面に突設された複数の針棒体１５は、複数の孔部１３それぞれに対応する位置に１本又は複数本ずつ設けられている。針棒体１５は、例えば、鉄等の金属製の棒体であり、その先端は先鋭に形成されている。
各針棒体１５は、針棒体支持部材１６の上下方向の移動によって、上面壁１２から上方に向けて進退可能であり、図１に示すように、針棒体支持部材１６がガイド部１３ａの下端に当接した状態で本体部１０の上方に保持された位置にあるとき、針棒体１５は、孔部１３及びガイド部１３ａに挿通されて上面壁１２から上方に向けて突出する。この場合、上面壁１２には多数の針棒体１５が突出することとなるので、上面壁１２に鳥類が飛来して止まったり、営巣したりするのを阻止することができる。
【００２２】
針棒体支持部材１６の下面には、下方向に延び底面壁１７に設けられた孔１７ａに挿通されて本体部１０の外部に突出する一対の棒体１９ａと、これら棒体１９ａの両端を本体部１０の外部で繋ぐ棒状の把持部１９ｂとによって構成された取手部１９が取り付けられている。
針棒体支持部材１６は、電線Ｃ等の保守点検作業を行う作業者が取手部１９を下方向に下げるように操作することで、各針棒体１５を突出する位置から下方向に移動させることができ、これに伴って、複数の針棒体１５を孔部１３及びガイド部１３ａを通じて本体部１０の内部に退避させることができる。
【００２３】
図４は、針棒体支持部材１６を下方向に移動させたときの腕金の断面図である。
針棒体支持部材１６は、ガイド部１３ａの下端に当接した状態で保持され、針棒体１５が上面壁１２から突出する突出位置（図１）から、針棒体１５が上面壁１２よりも下方に格納される格納位置（図４）との間を移動する。
本実施形態では、上記のように、針棒体支持部材１６を突出位置と格納位置とに移動させることで、容易に複数の針棒体を一括して進退させることができる。
【００２４】
図４に示すように、針棒体支持部材１６が格納位置に位置するとき、一の孔部１３に挿通される３本の針棒体１５の先端は、孔部１３の端縁から延びるガイド部１３ａに保持されており、再度、針棒体１５を上面壁１２から突出させる際に、当該針棒体１５を、確実に孔部１３に導くことができる。
【００２５】
図５（ａ）は、図４中の取手部１９周辺を拡大して示した断面図であり、図５（ｂ）は、底面壁１７を下側から正面視したときの図である。
本体部１０の底面壁１７には、針棒体支持部材１６を突出位置または格納位置に固定するためのストッパ２０が設けられている。
ストッパ２０は、取手部１９の各棒体１９ａが挿通されている孔１７ａそれぞれの近傍に設けられており、底面壁１７に対して軸支され回動可能な板状の係合部材２０ａと、この係合部材２０ａと一体に回動するツマミ部２０ｂと、係合部材２０ａと底面壁１７との間に介在した環状の板ばね２０ｃとを備えている。
【００２６】
板ばね２０ｃは、係合部材２０ａと底面壁１７とが離間する方向に付勢しており、係合部材２０ａが底面壁１７に密接するのを防止し、当該係合部材２０ａが底面壁１７に対して回動するのを容易としている。
係合部材２０ａは、棒体１９ａの外周面に形成されている第一溝部１９ｃ及び第二溝部１９ｄに嵌る切欠部２０ａ１が形成されており、この切欠部２０ａ１が両溝部１９ｃ，１９ｄのいずれかに嵌められることで、棒体１９ａと係合し、当該棒体１９ａの上下方向への移動を規制する。
棒体１９ａに形成されている第一溝部１９ｃは、針棒体支持部材１６が格納位置にあるときに、係合部材２０ａの切欠部２０ａ１を嵌合可能になっており、係合部材２０ａを第一溝部１９ｃに嵌めて棒体１９ａに係合させることで、針棒体支持部材１６は、格納位置にある状態でスプリング１８の付勢力に抗して上方への移動が規制され、格納位置で固定される。
また、第二溝部１９ｄは、針棒体支持部材１６が突出位置にあるときに切欠部２０ａ１を嵌合可能になっており、係合部材２０ａを第二溝部１９ｄに嵌めて棒体１９ａに係合させることで、針棒体支持部材１６は、突出位置にある状態でその下方向への移動が規制され、突出位置で固定される。
【００２７】
作業者は、ツマミ部２０ｂを操作することによって係合部材２０ａを回動させ、当該係合部材２０ａの棒体１９ａへの係合及びその解除を行うことができ、ストッパ２０は、作業者の操作に応じて、針棒体支持部材１６を突出位置または格納位置に固定することができる。
【００２８】
上記構成の腕金１によれば、針棒体支持部材１６を突出位置にして固定することで、多数の針棒体１５を上面壁１２から突出した状態を維持でき、この場合、上述のように、上面壁１２に鳥類が飛来して止まったり、営巣するのを阻止することができる。
一方、作業者が電柱Ｐに上り、電線Ｃや碍子２等の保守点検作業を行う場合、当該作業者は、まずストッパ２０を解除し、取手部１９をスプリング１８の付勢力に抗して下方に下げ、針棒体支持部材１６を格納位置まで移動させる。その後、作業者は、ストッパ２０を取手部１９に係合させることで、針棒体支持部材１６を格納位置に固定する。これによって、針棒体１５は、本体部１０の内部に格納された状態で固定される。作業者は、作業を行う上で邪魔となる針棒体１５を格納している間に保守点検作業を行う。
このように、保守点検時には、針棒体１５を上面壁１２よりも下方に退避させ格納することができ、この結果、上記従来例のように鳥害防止具等を取り外す作業を行う必要がなくなるので、保守点検作業に要する時間の実質的な短縮が可能となり、保守点検作業の効率が低下するのを防止できる。
以上のように、本発明の腕金１によれば、保守点検作業の効率を低下させることなく鳥害を防止することができる。
【００２９】
また、本実施形態では、上述のように、保守点検作業に要する時間の実質的な短縮が可能なので、保守点検作業に伴う停電時間の短縮も図ることができる。
さらに、上記従来例のように、鳥害防止具や絶縁カバーを腕金や電線等に取り付ける必要がないので、当該腕金や、碍子、電線等は外部に露出した状態とされる。この結果、腕金や、碍子、電線等について、容易に目視点検を行うことができる。
【００３０】
なお、針棒体１５を格納するのは、保守点検作業を行うといった一時的なものであり、腕金１は、通常、複数の針棒体１５が上面壁１２から突出した状態で用いられる。この点、本実施形態では、針棒体支持部材１６を上面壁１２に向けて上方に付勢するスプリング１８を備えており、仮に、ストッパ２０で針棒体支持部材１６を固定していなくても、針棒体支持部材１６をスプリング１８の付勢力によって突出位置に保持し、複数の針棒体１５が上面壁１２から突出した状態を維持することができる。一方、保守点検作業を行う際には、針棒体支持部材１６を押し下げることで格納位置に移動させることで、針棒体１５を一時的に本体部１０内に格納することができる。
【００３１】
さらに、本実施形態において、ストッパ２０は、針棒体支持部材１６を格納位置に解除可能に保持する保持手段を構成しており、上述のように、針棒体支持部材１６を押し下げることで格納位置に移動させた上で、格納位置に保持固定することができる。また、保守点検等を終えることで針棒体１５を格納する必要性がなくなった場合には、その保持を解除すれば、スプリング１８の付勢力によって容易に針棒体１５を上面壁１２から突出させることができる。
【００３２】
本発明は、上記実施形態に限定されるものではない。上記実施形態では、針棒体支持部材１６を本体部１０の内部に収納した場合を例示したが、例えば、図６に示すように、本体部１０の外部下方に配置することもできる。この場合、ボルト４は底面壁１７より突出して設けられる。針棒体支持部材１６は、このボルト４の突出した部分をガイドとして、上下方向に移動可能である。また、スプリング１８は、ボルト４に外挿された状態で、針棒体支持部材１６の下面と、ボルト４の頭部４ａとの間に介在配置され、針棒体支持部材１６を上方に付勢している。さらに、孔部１３の周縁に設けられたガイド部１３ａは、本体部１０を上下方向に貫通して設けられている。
この構成の場合、本体部１０の内部に針棒体支持部材１６を上下動を阻害する他の部材が配置されていたとしても、針棒体支持部材１６を本体部１０の外側で上下方向に移動可能とすることができ、針棒体１５を上面壁１２から進退可能に突出させることができる。
【００３３】
また、上記実施形態では、上面壁１２の上面に碍子２を配置した場合を例示したが、図７に示すように、本発明は、側面に碍子２が配置される腕金１に対しても適用することができる。図７（ａ）は、側面に碍子が配置された場合の腕金の正面図であり、図７（ｂ）は、その上面図である。図に示すように、電柱を挟んで一対の腕金が用いられる構成では、鳥類による営巣がこの一対の腕金１に亘って行われる場合があるが、両方の腕金１に本発明を適用することで、保守点検作業の効率を低下させることなく、このような鳥類の営巣を防止することができる。
【符号の説明】
【００３４】
１      腕金
１０    本体部
１１    側面壁（側面部材）
１２    上面壁（上面部材）
１３    孔部
１５    針棒体
１６    針棒体支持部材
１７    底面壁（底面部材）
１８    スプリング（付勢部材）
２０    ストッパ（保持手段）
Ｃ      電線
Ｐ      電柱
【図１】
2011142780.tif 000003
【図２】
2011142780.tif 000004
【図３】
2011142780.tif 000005
【図４】
2011142780.tif 000006
【図５】
2011142780.tif 000007
【図６】
2011142780.tif 000008
【図７】
2011142780.tif 000009